(57)【要約】【課題】  例えばビル等の建築物の外壁や間仕切り壁等に用いられるＡＬＣ（軽量気泡コンクリート）パネルの取付構造に係り、上記パネルの製作効率や施工性が低下することなく、該パネルを建物躯体に容易・安価にかつ簡単・確実に取付施工できるようにする。【解決手段】  ＡＬＣパネル１内に埋設される補強用鉄筋３を支持ピン４によりモールド型枠内に吊り込み固定した状態で、上記モールド型枠内に原料スラリーを投入してＡＬＣ成形体を形成し、その成形体が所定硬さに固まったところで上記支持ピン４を引き抜き除去して製造されたＡＬＣパネル１の建物躯体Ｆへの取付構造であって、上記支持ピン４を引き抜き除去した後のピン孔ｈを利用して上記ＡＬＣパネル１内にアンカー６を挿入し、そのアンカー６にパネル取付金具を取付けると共に、そのパネル取付金具を介して上記ＡＬＣパネル１を建物躯体Ｆに取付けたことを特徴とする。【選択図】  図１
2008014052.tif 000002
【特許請求の範囲】
【請求項１】
ＡＬＣパネル内に埋設される補強用鉄筋を支持ピンによりモールド型枠内に吊り込み固定した状態で、上記モールド型枠内に原料スラリーを投入してＡＬＣ成形体を形成し、その成形体が所定硬さに固まったところで上記支持ピンを引き抜き除去して製造されたＡＬＣパネルの建物躯体への取付構造であって、
上記支持ピンを引き抜き除去した後のピン孔を利用して上記ＡＬＣパネル内にアンカーを挿入し、そのアンカーにパネル取付金具を取付けると共に、そのパネル取付金具を介して上記ＡＬＣパネルを建物躯体に取付けたことを特徴とするＡＬＣパネルの取付構造。
【請求項２】
上記ＡＬＣパネルの上下２箇所をパネル取付金具を介して建物躯体に取付ける構成とし、その上下２箇所のパネル取付金具のうちの少なくとも一方のパネル取付金具を上記ピン孔を利用して上記ＡＬＣパネル内に挿入したアンカーに取付けるようにした請求項１に記載のＡＬＣパネルの取付構造。
【発明の詳細な説明】
【技術分野】
【０００１】
本発明は、例えばビル等の建築物に外壁や間仕切り壁等として用いられるＡＬＣ（軽量気泡コンクリート）パネルの取付構造に関する。
【背景技術】
【０００２】
ＡＬＣパネルは、例えばビル等の建築物、特に鉄骨造の建築物の外壁として広く使用されており、このようなＡＬＣパネルは、例えば下記特許文献１、２にも記載のように、一般に以下のようなプロセスで製造されている。すなわち、通常は複数枚のＡＬＣパネルを同時に製造するもので、その各パネル内に埋設される複数枚の鉄筋マット等の補強用鉄筋を支持ピンによりモールド型枠（成型用型枠）内に吊り込み固定した状態で、その型枠内にＡＬＣの原料スラリーを投入してＡＬＣ成形体を形成し、その成形体が所定硬さに固まったところで、上記支持ピンを成形体から引き抜き除去すると共に、上記型枠を外し、上記成形体を、隣り合う補強用鉄筋間でピアノ線等のワイヤによりパネル状に切断した後、オートクレーブ等で蒸気養生して所定の大きさ形状のＡＬＣパネルを得るものである。
【０００３】
また、上記のようなＡＬＣパネルを建築物の柱や梁等の建物躯体に取付ける方法としては、例えば下記特許文献３に記載のように、建物躯体に位置決めのための下地鋼材（定規アングル）を取付け、この下地鋼材に、いわゆるイナズマプレートや支持プレート等のパネル取付金具を用いてＡＬＣパネルを取付けている。一方、上記のパネル取付金具は、ＡＬＣパネル内に挿入したアンカーにボルトを螺合して取付けるのが一般的であり、上記アンカーをパネル内に挿入するためのアンカー挿入孔は、従来は下記特許文献４のようにＡＬＣパネルの製作過程で専用の穿孔装置等により穿孔するか、或いは下記特許文献５のようにパネル施工時に専用の工具等を用いて穿孔するのが一般的である。
【０００４】
【特許文献１】特開平９−２２８５５３号公報
【特許文献２】特開平７−２２７８２８号公報
【特許文献３】特開平９−１０５１９２号公報
【特許文献４】特開２００３−７１８２７号公報
【特許文献５】特開平１０−９５０１３号公報
【発明の開示】
【発明が解決しようとする課題】
【０００５】
しかしながら、上記のような穿孔作業を、ＡＬＣパネルの製作過程であれ、施工時であれ、専用の穿孔装置や工具等を用いてパネルの製作工程や施工作業とは別に行うのは煩雑かつ面倒であると共に、パネルの製作効率や施工性が低下し、製造コストや施工コストが増大する等の不具合がある。またＡＬＣパネル内には、通常前記のように補強用鉄筋が埋設されており、その埋設位置やアンカー挿入孔の穿孔位置にバラツキや精度誤差等があると、穿孔時にドリル等の工具が補強用鉄筋と干渉して工具や補強用鉄筋が損傷もしくは破損し、作業能率や歩留まりが低下するおそれがある。特に、厚さが７５ｍｍ以下のＡＬＣパネルの場合、補強用鉄筋とアンカー挿入孔との間に余裕が殆どないため歩留まりが著しく低下する不具合がある。
【０００６】
本発明は上記の問題点に鑑みて提案されたもので、ＡＬＣパネルの製作効率や施工性および歩留まり等が低下することなく、ＡＬＣパネルを容易・安価に製造して建物躯体に簡単・確実に取付支持させることのできるＡＬＣパネルの取付構造を提供することを目的とする。
【課題を解決するための手段】
【０００７】
上記の目的を達成するために本発明によるＡＬＣパネルの取付構造は、以下の構成としたものである。すなわち、ＡＬＣパネル内に埋設される補強用鉄筋を支持ピンによりモールド型枠内に吊り込み固定した状態で、上記モールド型枠内に原料スラリーを投入してＡＬＣ成形体を形成し、その成形体が所定硬さに固まったところで上記支持ピンを引き抜き除去して製造されたＡＬＣパネルの建物躯体への取付構造であって、上記支持ピンを引き抜き除去した後のピン孔を利用して上記ＡＬＣパネル内にアンカーを挿入し、そのアンカーにパネル取付金具を取付けると共に、そのパネル取付金具を介して上記ＡＬＣパネルを建物躯体に取付けたことを特徴とする。
【発明の効果】
【０００８】
上記のようにＡＬＣパネル製造時に補強用鉄筋を吊り込み固定した支持ピンを引き抜き除去した後のピン孔を、アンカーを挿入するための挿入孔に利用してＡＬＣパネルを建物躯体に取付けるようにしたので、前記従来のようにＡＬＣパネルの製作過程あるいはＡＬＣパネルの施工時に専用のアンカー挿入孔を穿孔する面倒が軽減され、ＡＬＣパネルの製作効率および施工性を向上させることができる。また前記従来のように専用のアンカー挿入孔を穿孔する際にドリル等の工具が補強用鉄筋と干渉して工具や補強用鉄筋が損傷もしくは破損して作業能率や歩留まりが低下することがないから、ＡＬＣパネル１を建物躯体に容易・安価にかつ簡単・確実に取付施工できる等の効果がある。
【発明を実施するための最良の形態】
【０００９】
以下、本発明を図に示す実施形態に基づいて具体的に説明する。図１はビル等の建築物に対する本発明によるＡＬＣパネル取付構造の一実施形態を示す分解斜視図、図２はパネル取付状態の一部の縦断面図である。
【００１０】
本実施形態はビル等の建築物、特に鉄骨造の建築物に適用したもので、その建築物の外壁Ｗを複数枚のＡＬＣパネル１で構成し、その各ＡＬＣパネル１を、そのパネル製造時に形成される補強用鉄筋吊り込み固定用支持ピン引き抜き後のピン孔ｈを利用して上記建築物の建物躯体Ｆに取付けたものである。特に、図の場合は縦長の短冊状のＡＬＣパネル１を縦横に並べて外壁Ｗを構成し、その各パネル１を上記ピン孔ｈを利用して建物躯体ＦとしてのＨ形鋼よりなる梁材２に取付けたものである。
【００１１】
上記ＡＬＣパネル１は、本実施形態においては前記従来例と同様の要領で製造したもので、図３に示すように複数枚の鉄筋マット等の補強用鉄筋３を支持ピン４により図に省略したモールド型枠内に吊り込み固定した状態で、その型枠内に原料スラリーを投入してＡＬＣ成形体を形成し、その成形体が所定硬さに固まったところで上記支持ピンを成形体から引き抜き除去すると共に上記型枠を外し、上記成形体を、隣り合う補強用鉄筋間でピアノ線等のワイヤによりパネル状に切断した後、オートクレーブ等で蒸気養生して所定の大きさ形状のＡＬＣパネルを製造したものである。
【００１２】
上記補強用鉄筋３は、図の場合は施工時のテンション側の網状体３ａとコンプレッション側の網状体３ｂとをスペーサ３０を介して所定の間隔をおいて一体的に連結固定した構成であり、上記スペーサ３０は本実施形態においては棒材等により井桁状に形成され、その井桁状のスペーサ３０の中央開口部３０ａ内に前記の支持ピン４を挿通する構成である。なお上記支持ピン４には、図には省略したが、上記スペーサ３０と当接して上記補強用鉄筋３を抜け止め係止する係止突起等の係止手段が設けられ、その係止手段は、上記支持ピン４を成形体から引き抜き除去する際には上記スペーサ３０との当接係合位置から退避移動もしくは退避回動させることによって上記の抜け止め係止状態が解除されるように構成されている。
【００１３】
上記のようにして製造されたＡＬＣパネル１には、図４に示すように上記支持ピン４を引き抜き除去した後のピン孔ｈが残存する。特に、本実施形態においては短冊状のＡＬＣパネル１内に埋設される補強用鉄筋３を、前記のモールド型枠内に収容配置する際には、上記鉄筋３を前記図３のように横長に配置して、その長手方向両端部を前記支持ピン４で吊り込み固定する構成であり、その支持ピン４を引き抜き除去した後のピン孔ｈはＡＬＣパネル１の長手方向両端部に残存している。又その各ピン孔ｈは、本実施形態においては上記井桁状のスペーサ３０の中央開口部３０ａを貫通するようにしてＡＬＣパネル１の一方の長辺小口面（製造時の型枠トップ側）からそれと反対側の長辺小口面（製造時の型枠ボトム側）付近に至るパネル１内に、上記両長辺小口面とほぼ垂直に、かつ短辺小口面とはほぼ並行に形成されている。
【００１４】
前記図１および図２の実施形態は、上記のようにして製造されたＡＬＣパネル１の上記ピン孔ｈを利用してパネル１内にアンカーを挿入し、そのアンカーに、パネル取付金具を取付けると共に、そのパネル取付金具を介して上記ＡＬＣパネルを上記建物躯体Ｆに取付けたものである。
【００１５】
図の場合はＡＬＣパネル１の長手方向両端部（図示例においては上下両端部）に残存する両方のピン孔ｈに、それぞれ筒状もしくは棒状のアンカー６ａ・６ｂを挿入し、その一方（図では上側）のアンカー６ａに、上記パネル取付金具としてのイナズマプレート８ａをボルト７ａで取付け、そのイナズマプレート８ａを、上記建物躯体Ｆの上面に溶接等で一体的に設けたアングル材よりなる下地鋼材９に係合保持させると共に、上記下地鋼材９に溶接等で取付けた他のパネル取付金具としての支持プレート８ｂを上記他方（図では下側）のアンカー６ｂにボルト７ｂで取付けたものである。
【００１６】
上記各パネル取付金具としてのイナズマプレート８ａおよび支持プレート８ｂをアンカー６ａ・６ｂに取付けるための上記ボルト７ａ・７ｂは、ＡＬＣパネル１にピン孔ｈと直角方向に形成した孔ｈ１から挿入してアンカー６ａ・６ｂの長手方向中央部に形成した雌ねじ穴６０にねじ込めばよく、その孔ｈ１はＡＬＣパネル１の製作過程や施工時に形成すればよい。なお上記ボルト７ａ・７ｂとしてタッピングボルト等を用いれば上記孔ｈ１の穿孔と同時にアンカー６ａ・６ｂにねじ込むこともできる。
【００１７】
また上記支持プレート８ｂは、ほぼ垂直方向の縦片８１と、それと直角方向にほぼ水平に且つ溶接等で一体的に設けた横片８２とで略Ｔ字形に形成され、その横片８２に上側のＡＬＣパネル１が載置されている。なお上記支持プレート８ｂは、上記下地鋼材９にボルト・ナット等で取付けることもできる。
【００１８】
上記のようにして本発明によるＡＬＣパネルの取付構造は、パネル製造時に補強用鉄筋３を吊り込み固定した支持ピン４を引き抜き除去した後のピン孔ｈを、アンカー６ａ・６ｂを挿入するための挿入孔に利用してＡＬＣパネル１を建物躯体に取付けるようにしたので、前記従来のようにＡＬＣパネル１の製作過程あるいはＡＬＣパネルの施工時に専用のアンカー挿入孔を穿孔する面倒がなく、ＡＬＣパネル１の製作効率および施工性を向上させることができる。また前記従来のように専用のアンカー挿入孔を穿孔する際にドリル等の工具が補強用鉄筋と干渉して工具や補強用鉄筋が損傷もしくは破損して作業能率や歩留まりが低下することがないから、ＡＬＣパネル１を建物躯体に容易・安価にかつ簡単・確実に取付施工できるものである。
【００１９】
なお、上記アンカー６ａ・６ｂは、必要に応じて、例えば図５および図６に示すように前記スペーサ３０の中央開口部３０ａ内に挿入嵌合すると、上記ＡＬＣパネル１を建物躯体により強固に取付けることができる。上記図５は短冊状の縦長のＡＬＣパネル１の幅方向（図で左右方向）両端部付近に設けた一対のスペーサ３０の中央開口部３０ａ内にアンカー６ａの両端部を延長突出させて挿入嵌合した例、図６は上記と同様のＡＬＣパネル１の幅方向中央部付近に設けた一対のスペーサ３０の中央開口部３０ａ内にアンカー６ａの両端部挿入嵌合した例である。アンカー６ｂについても同様に構成することができる。
【００２０】
また以上の実施形態は、ＡＬＣパネル１の長手方向両端部に残存するピン孔ｈをアンカー挿入孔に利用したが、必ずしも端部に限らず他の位置にピン孔ｈが残存する場合にも、そのピン孔をアンカー挿入孔に利用することができる。また上記実施形態のようにピン孔ｈが２つ若しくはそれ以上残存する場合であっても、そのいずれか少なくとも１つをアンカー挿入孔に利用し、他のピン孔ｈはアンカー挿入孔に利用することなく、別途専用のアンカー挿入孔を、前記従来例と同様にＡＬＣパネル１の製作過程や施工時に形成するようにしてもよい。
【００２１】
例えば、上記ピン孔ｈの位置を、施工上必要な位置、すなわち前記のような梁材２等の建物躯体Ｆに取付けるのに適する位置に設けるには、前記スペーサ３０の位置を適宜調整することで可能となるが、ＡＬＣパネルは、一般に１つのモールド型枠で複数枚のパネルを同時に生産する方式のため、上記モールド型枠で成形するパネル寸法などの制約により、上記スペーサ３０を施工上必要な位置に常に合致させるには、上記モールド型枠で生産するパネル枚数が制限され、生産効率が悪化する場合がある。そのような場合には、施工上必要な位置に設置可能なピン孔のみをアンカー挿入孔に利用し、他のアンカー挿入孔は、穿孔位置を自由に設定できる前記従来の専用の穿孔穴を使用すれば、上記のように生産効率が悪化するのを防止することができる。
【００２２】
さらに、上記実施形態は、パネル取付金具としてイナズマプレート８ａと支持プレート８ｂとを用いる場合を例にして説明したが、必ずしもこれに限られるものではない。また上記実施形態はＡＬＣパネルを縦長に配置して建築物の外壁を形成するようにしたが、ＡＬＣパネルを横長に配置する場合にも適用可能であり、また建築物の外壁に限らず間仕切り壁等にも適用できる。
【産業上の利用可能性】
【００２３】
以上のように本発明によるＡＬＣパネルの取付構造は、ＡＬＣパネル内に埋設される補強用鉄筋の吊り込み固定用支持ピンを引き抜き除去した後のピン孔を、アンカーを挿入するための挿入孔に利用してＡＬＣパネルを建物躯体に取付けるようにしたので、ＡＬＣパネルの製作過程あるいはＡＬＣパネルの施工時に専用のアンカー挿入孔を穿孔する面倒がなく、ＡＬＣパネルの製作効率および施工性を向上させることができると共に、前記従来のように専用のアンカー挿入孔を穿孔する際に、ドリル等の工具が補強用鉄筋と干渉して工具や補強用鉄筋が破損したり、ＡＬＣパネルの歩留まりが低下するのを防止できるもので、この種のパネルの取付構造として産業上も極めて有効である。
【図面の簡単な説明】
【００２４】
【図１】本発明によるＡＬＣパネル取付構造の一実施形態を示す分解斜視図。
【図２】上記ＡＬＣパネル取付構造におけるパネル取付状態の縦断面図。
【図３】上記ＡＬＣパネルの製造状態の一例を示す斜視図。
【図４】上記ＡＬＣパネルの製造後の一部の斜視図。
【図５】アンカーをスペーサの中央開口部に挿入嵌合した例のパネルの斜視図。
【図６】他の例の同上図。
【符号の説明】
【００２５】
１  ＡＬＣパネル
３  補強用鉄筋
３ａ、３ｂ  網状体
３０  スペーサ
３０ａ  中央開口部
４  支持ピン
６ａ、６ｂ  アンカー
７ａ、７ｂ  ボルト
８ａ  イナズマプレート
８ｂ  支持プレート
９  下地鋼材
ｈ  ピン孔
Ｆ  建物躯体
Ｗ  外壁
【図１】
2008014052.tif 000003
【図２】
2008014052.tif 000004
【図３】
2008014052.tif 000005
【図４】
2008014052.tif 000006
【図５】
2008014052.tif 000007
【図６】
2008014052.tif 000008